(57)【要約】【課題】配線から基板を介してセグメント電極に電圧が加わってしまうことを防止して誤表示動作を防止できる電気泳動ディスプレイを提供すること。【解決手段】電気泳動表示パネル３０は、表示基板３１と、透明基板３２と、電気泳動層３３とを備える。表示基板３１は、第１の絶縁層３１１と、第２の絶縁層３１２と、シールド層３１３とを備える。絶縁層３１１の表面に複数のセグメント電極５０を設け、絶縁層３１２の裏面に各電極５０に対応する配線３１５を設ける。各配線３１５は、絶縁層３１１，３１２を貫通する貫通電極３１４で各電極５０に接続する。絶縁層３１１および絶縁層３１２間、つまり配線３１５およびセグメント電極５０間にシールド層３１３を配置する。シールド層３１３は、貫通電極３１４に対して非接触とされ、配線３１５に印加された電圧が前記セグメント電極５０に影響を与えることを防止する。【選択図】図４
2008170647.tif 000002
【特許請求の範囲】
【請求項１】
電気泳動粒子と、この電気泳動粒子を間に挟んで対向配置される２つの基板とを備えて構成される電気泳動ディスプレイであって、
前記一方の基板は、前記他方の基板に対向する面に形成された透明電極を備え、
前記他方の基板は、前記一方の基板に対向する表面側に設けられた表面電極配線層と、この基板の裏面側に設けられた裏面電極配線層と、前記表面電極配線層および裏面電極配線層間に設けられる絶縁層とを備え、
前記表面電極配線層には複数のセグメント電極が設けられ、
前記裏面電極配線層には前記各セグメント電極に対応して設けられた配線が設けられ、
前記裏面電極配線層の各配線は、前記絶縁層を貫通して設けられた貫通電極で前記各セグメント電極に接続され、
前記絶縁層内には、前記貫通電極に対しては非接触とされ、前記配線に印加された電圧が前記セグメント電極に影響を与えることを防止するシールド層が設けられていることを特徴とする電気泳動ディスプレイ。
【請求項２】
請求項１に記載の電気泳動ディスプレイにおいて、
前記シールド層は、前記各貫通電極が挿通される部分を除いて前記絶縁層内に形成されたベタ電極によって形成されていることを特徴とする電気泳動ディスプレイ。
【請求項３】
請求項２に記載の電気泳動ディスプレイにおいて、
前記シールド層は、所定電圧値の電圧を印加する電源端子に接続されて所定電位に維持されていることを特徴とする電気泳動ディスプレイ。
【請求項４】
請求項３に記載の電気泳動ディスプレイにおいて、
前記シールド層が接続された電源端子は、電気泳動ディスプレイを収納するケースに接続されて接地されていることを特徴とする電気泳動ディスプレイ。
【請求項５】
請求項１に記載の電気泳動ディスプレイにおいて、
前記シールド層は、前記絶縁層に形成された第１のベタ電極および第２のベタ電極を備えて形成され、
前記各ベタ電極間には、絶縁層が設けられて各ベタ電極同士は互いに絶縁され、かつ、前記各ベタ電極は各貫通電極が挿通される部分を除いて形成されていることを特徴とする電気泳動ディスプレイ。
【請求項６】
請求項５に記載の電気泳動ディスプレイにおいて、
前記シールド層の第１のベタ電極は、第１電圧値の電圧を印加する第１の電源端子に接続され、前記シールド層の第２のベタ電極は、前記第１電圧値と所定電位差の第２電圧値の電圧を印加する第２の電源端子に接続されていることを特徴とする電気泳動ディスプレイ。
【請求項７】
請求項６に記載の電気泳動ディスプレイにおいて、
前記シールド層が接続された第１の電源端子または第２の電源端子は、電気泳動ディスプレイを収納するケースに接続されて接地されていることを特徴とする電気泳動ディスプレイ。
【発明の詳細な説明】
【技術分野】
【０００１】
本発明は、電気泳動ディスプレイに関する。
【背景技術】
【０００２】
近年、電気泳動現象、すなわち、液体中に分散した帯電粒子が電界印可により泳動する現象を利用した電気泳動表示パネル（電気泳動ディスプレイ）およびこれを備える表示装置が開発されている。
このような電気泳動ディスプレイは、セグメント電極を有する第１の基板と、共通電極を有する第２の基板と、これらの基板間に配置された電気泳動粒子とを備えて構成されたものが知られている（特許文献１参照）。
【０００３】
そして、本出願人は、特許文献１のような電気泳動ディスプレイにおいて、前記第１の基板の表面（第２の基板に対向する面）側にセグメント電極を形成し、裏面に各セグメント電極に対応する配線を設け、この配線と各セグメント電極とは基板に形成されたビア（貫通孔）に設けられた貫通電極を介して接続することで、セグメント電極の配置自由度を高めることができる配線構造を開発し、利用するようになった。
【０００４】
【特許文献１】特開２００６−１４５６１５号公報
【発明の開示】
【発明が解決しようとする課題】
【０００５】
ところで、前記配線は、基板端部の配線端子から各セグメント電極位置までそれぞれ配線されるため、セグメント電極および配線の数が多くなると、各セグメント電極の裏面側にはそのセグメント電極に接続される配線以外の他の配線も配置する必要があった。
そして、前記基板はポリイミドなどからなるフレキシブル回路基板（ＦＰＣ：Flexible Printed Circuit）で形成されるが、その基板の厚さ寸法が小さくなると、裏面の配線の影響が表面の電気泳動粒子の動作に現れてしまうおそれがあった。
【０００６】
すなわち、電気泳動ディスプレイの駆動回路部から印加された電圧は、裏面の配線を通り、ビアの貫通電極を介して表面のセグメント電極に伝わる。この配線に電圧を印加した際に、基板の厚さ寸法が薄いと、前記配線に導通していないセグメント電極にも基板を介して電圧がかかってしまう可能性がある。このため、電圧を印加していないセグメント電極にある程度の電圧が印加され、そのセグメント電極上に配設された電気泳動粒子が動いてしまい、誤った表示を行ってしまう可能性があった。
特に、近年では、可撓性を持たせるために基板の厚さ寸法を例えば２５μｍ程度と非常に薄くすることもあり、ディスプレイを曲げた状態で利用している場合には、より基板が薄くなるようなストレスが発生するため、前記誤表示が発生しやすいおそれがあった。
【０００７】
本発明の目的は、配線から基板を介してセグメント電極に電圧が加わってしまうことを防止して誤表示動作を防止できる電気泳動ディスプレイを提供することにある。
【課題を解決するための手段】
【０００８】
本発明に係る電気泳動ディスプレイは、電気泳動粒子と、この電気泳動粒子を間に挟んで対向配置される２つの基板とを備えて構成される電気泳動ディスプレイであって、前記一方の基板は、前記他方の基板に対向する面に形成された透明電極を備え、前記他方の基板は、前記一方の基板に対向する表面側に設けられた表面電極配線層と、この表面基板の裏面側に設けられた裏面電極配線層と、前記表面電極配線層および裏面電極配線層間に設けられる絶縁層とを備え、前記表面電極配線層には複数のセグメント電極が設けられ、前記裏面電極配線層には前記各セグメント電極に対応して設けられた配線が設けられ、前記裏面電極配線層の各配線は、前記絶縁層を貫通して設けられた貫通電極で前記各セグメント電極に接続され、前記絶縁層内には、前記貫通電極に対しては非接触とされ、前記配線に印加された電圧が前記セグメント電極に影響を与えることを防止するシールド層が設けられていることを特徴とする。
【０００９】
この発明によれば、他方の基板を、表面電極配線層および裏面電極配線層の二層配線構造とし、かつ、各配線層間にシールド層を形成したので、配線に印加された電圧が基板を介してセグメント電極に影響を与えることを確実に防止できる。
従って、各セグメント電極に、その電極に接続された配線以外の他の配線からの電圧が印加してしまうこともなく、電気泳動粒子が誤って動いて誤表示動作することを確実に防止でき、電気泳動ディスプレイの表示品質を向上できる。
【００１０】
本発明では、前記シールド層は、前記各貫通電極が挿通される部分を除いて前記絶縁層内に形成されたベタ電極によって形成されていることが好ましい。
この発明によれば、シールド層は、前記絶縁層内に、いわゆる「ベタ電極」を形成し、かつ、ベタ電極において貫通電極が挿通される部分には開口を形成して、貫通電極とベタ電極とが接触しないように設ければよい。
シールド層としては、各セグメント電極毎に分散して形成してもよいが、本発明のように、絶縁層内に「ベタ電極」を形成すれば、いわゆる三層配線構造の基板を製造する場合と同様の製造工程でシールド層を容易に形成することができる。また、シールド層に所定電位の電圧を加える場合に、シールド層が複数の電極に分散されている場合には、各電極への配線が必要となって配線数も多くなるが、ベタ電極で形成していれば配線も簡略化できる。
【００１１】
本発明では、前記シールド層は、所定電圧値の電圧を印加する電源端子に接続されて所定電位に維持されていることが好ましい。
なお、シールド層が接続される電源端子は、電池等の電源の出力端子や、電源電圧を昇圧する昇圧回路を含むドライバの出力端子など、シールド層を所定の電位に維持できるものであればよい。
【００１２】
シールド層は、どこにも接続しないオープン状態で設けてもよいが、電源端子に接続して所定の電位に維持すれば、シールド効果を向上できて、誤表示動作をより一層確実に防止できる利点がある。
【００１３】
この際、前記シールド層が接続された電源端子は、電気泳動ディスプレイを収納するケースに接続されて接地されていることが好ましい。
シールド層をケースに接地してＧＮＤ電位に維持すれば、容量を大きくできてシールド効果を向上することができる。特に、腕時計のように人体に装着して利用される機器であれば、ケースが人体に接触して容量がより大きくなり、シールド効果もより一層向上できる。
【００１４】
本発明では、前記シールド層は、前記絶縁層に形成された第１のベタ電極および第２のベタ電極を備えて形成され、前記各ベタ電極間には、絶縁層が設けられて各ベタ電極同士は互いに絶縁され、かつ、前記各ベタ電極は各貫通電極が挿通される部分を除いて形成されているものでもよい。
シールド層が複数の電極層を備えていれば、電極が１層しか設けられていない場合に比べて、電圧のシールド効果をより向上できる。
【００１５】
ここで、前記シールド層の第１のベタ電極は、第１電圧値の電圧を印加する第１の電源端子に接続され、前記シールド層の第２のベタ電極は、前記第１電圧値と所定電位差の第２電圧値の電圧を印加する第２の電源端子に接続されていることが好ましい。
このような構成によれば、第１のベタ電極の電位を第１電圧値とし、第２のベタ電極の電位を第１電圧値と異なる電位の第２電圧値とすることができるので、シールド効果をより向上できる。
【００１６】
この際、前記シールド層が接続された第１の電源端子または第２の電源端子は、電気泳動ディスプレイを収納するケースに接続されて接地されていることが好ましい。
前記第１のベタ電極または第２のベタ電極の一方をケースに接地してＧＮＤ電位に維持すれば、容量を大きくできてシールド効果を向上することができる。特に、腕時計のように人体に装着して利用される機器であれば、ケースが人体に接触して容量がより大きくなり、シールド効果もより一層向上できる。
【発明の効果】
【００１７】
以上の本発明によれば、電気泳動ディスプレイにおいて、配線から基板を介してセグメント電極に電圧が加わってしまうことを防止して誤表示動作を防止できる。
【発明を実施するための最良の形態】
【００１８】
〔第１実施形態〕
［１．全体構成］
図１は、本実施形態の電子時計１の斜視図である。この時計１は、円環状のケース２の外周面に沿って電気泳動表示パネル（電気泳動ディスプレイ）３０が設けられ、腕などに装着されるブレスレット・ウォッチであり、電気泳動表示パネル３０には、時刻情報を示す数字シンボルが表示されている。
【００１９】
図２は、時計１の分解斜視図である。時計１は、図２に示すように、ケース２と、中枠２５と、電気泳動表示パネル３０を有する表示モジュール３と、カバーガラス５とを備えている。
ケース２は、ケース本体２１と、フランジ部材２２とで構成される。
ケース本体２１は、円筒状に形成され、その一方の開口端縁にはケース２の径方向に突出するフランジ２１１が設けられ、他方の開口端縁にはケース２の径方向に突出するネジ固定部２１２が複数箇所形成されている。
フランジ部材２２は、リング状の板材で形成され、前記ネジ固定部２１２にねじ込まれるネジ２４によってケース本体２１に固定されている。これにより、フランジ部材２２はフランジ２１１に対向して設けられ、その間に電気泳動表示パネル３０を収納する空間が形成されている。
【００２０】
中枠２５は、電気泳動表示パネル３０を略リング状に湾曲した状態で保持する樹脂の成形品である。具体的には、中枠２５は、樹脂製の２つのリング部材２６，２７を接着して構成されている。中枠２５は、開口端縁に電気泳動表示パネル３０をガイドするガイド用突起２８等が形成されており、このガイド用突起２８等が形成された中枠２５を一体成形することが難しいために、二体に分けて製造している。また、中枠２５には、電池が収納される電池ホルダ２９が着脱可能に取り付けられている。
【００２１】
中枠２５は、ケース本体２１の円筒面の外周に装着されている。そして、中枠２５の外周面には、電気泳動表示パネル３０を有する表示モジュール３が巻き付けられている。表示モジュール３の具体的構造は後述する。
カバーガラス５は、透明な円筒状の樹脂材やサファイアガラス等で構成され、電気泳動表示パネル３０の外周面に装着されて、各フランジ２１１およびフランジ部材２２で保持されている。
【００２２】
表示モジュール３は、電気泳動表示パネル３０と、この表示パネル３０を駆動する駆動回路部４０とを有して構成されている。
図３は、表示モジュール３における電気泳動表示パネル３０および回路基板４２の平面図であり、図４は、表示パネル３０の断面図である。なお、図４では、分かり易くするために、電気泳動ディスプレイを平面的（湾曲されていない状態）に表した。
図３に示すように、回路基板４２と、表示パネル３０とは個別に製造され、異方性導電膜（ＡＣＦ；Anisotropic Conductive Film）などによる配線部材４１２で接続されている。
そして、回路基板４２は、配線部材４１２部分で折り曲げられ、中枠２５の電池ホルダ２９とリング部材２６，２７との間に形成された溝部分に前記配線部材４１２を配置することで、中枠２５内周面に折り返されて配置されている。
また、表示パネル３０は、接着剤によってケース２に接着されている。なお、接着剤の他に両面テープなどを用いてもよい。
【００２３】
［２．表示パネルの構成］
表示パネル３０は、図５にも示すように帯状に形成され、ケース２の外周面略全体にわたって設けられている。
この表示パネル３０は、図４に示すように、表示基板３１と、透明基板３２と、表示基板３１および透明基板３２の間に設けられた電気泳動層３３とを含んで構成されている。表示パネル３０に表示される計時情報は、表側に配置される透明基板３２を通して視認される。
このような表示パネル３０は、図２に示すように、中枠２５の外周面に沿って湾曲されその両端間に前記電池ホルダ２９が配置されている。このため、電池ホルダ２９の表面側には電池ホルダ２９を覆う図示しない飾り板が取り付けられる。
【００２４】
［２−１．表示基板の構成］
表示基板３１は、図４，６，７に示すように、表面電極配線層と、第１の絶縁層３１１と、シールド層３１３と、第２の絶縁層３１２と、裏面電極配線層とを備えた三層基板構造とされている。なお、図６は、表示基板３１の一部を各層に分解した分解斜視図であり、図７は、表示基板３１の一部を拡大した断面図である。
第１の絶縁層３１１および第２の絶縁層３１２は、ポリイミドやポリエステルなどの可撓性を有する樹脂などの絶縁素材によって形成されている。
【００２５】
第１の絶縁層３１１の表面（透明基板３２との対向面）に設けられた表面電極配線層には、セグメント電極５０および共通電極駆動用電極３２１，３２２が設けられている。
共通電極駆動用電極３２１，３２２は、第１の絶縁層３１１の表面において、セグメント電極５０が形成された領域を挟んで設けられている。具体的には、各共通電極駆動用電極３２１，３２２は、帯状に形成された表示パネル３０の長手方向の両端部にそれぞれ設けられている。
また、セグメント電極５０の上部には、接着剤（接着層）ＡＤ２が設けられ、これによりセグメント電極５０の上部には複数のマイクロカプセル３３０が接着されている。マイクロカプセル３３０の中には、電気泳動分散液が封入されている。電気泳動分散液には、プラスに帯電した黒色粒子、およびマイナスに帯電した白色粒子が混合されている。そして、この複数のマイクロカプセル３３０により電気泳動層３３が構成されている。
【００２６】
第２の絶縁層３１２の裏面に設けられた裏面電極配線層には、前記電極５０，３２１，３２２に導通された配線３１５が形成されている。すなわち、各配線３１５は、図６に示すように、各セグメント電極５０や、各電極３２１，３２２毎に独立して形成されている。これらの各配線３１５と、各電極とは、各絶縁層３１１，３１２を厚み方向に貫通するビア（貫通孔）部分に設けられた貫通電極３１４によって接続されている。
各配線３１５は、前記配線部材４１２に接続され、各配線３１５つまり各電極５０，３２１，３２２に印加される電圧は駆動回路部４０によって制御されている。
【００２７】
シールド層３１３は、各絶縁層３１１，３１２間に形成された「ベタ電極」によって構成されている。シールド層３１３はベタ電極であるため、各絶縁層３１１，３１２において互いに対向する対向面のほぼ全領域に渡って積層されている。
また、図６，７に示すように、シールド層３１３において、貫通電極３１４が挿通される部分には開口３１３Ａが形成され、各貫通電極３１４がシールド層３１３に接触しないように、つまり電気的に導通しないように設定されている。
【００２８】
［２−２．透明基板の構成］
透明基板３２は、ポリイミドやポリエステル等の可撓性を有する樹脂から形成されている。
透明基板３２の裏面（表示基板３１との対向面）には、ＩＴＯ（Indium Tin Oxide）などによる透明な共通電極３２０が設けられている。この共通電極３２０は、透明基板３２の表示基板３１との対向面の略全体に亘って設けられ、各セグメント電極５０に対応する共通の電極とされている。この共通電極３２０と、共通電極駆動用電極３２１、３２２との間には、導通部材３２１Ａ、３２２Ａが介装されている。これらの導通部材３２１Ａ，３２２Ａは、導電性の接着剤等から構成され、共通電極３２０および共通電極駆動用電極３２１，３２２に接着され、共通電極３２０および共通電極駆動用電極３２１，３２２を導通している。
【００２９】
透明基板３２の上面側に設けられた耐湿シート３０Ａ、および表示基板３１の下面側に設けられた耐湿シート３０Ｂにより、透明基板３２、電気泳動層３３、および表示基板３１等は密封され、電気泳動層３３への水分の浸入が防がれている。詳述すると、これらの耐湿シート３０Ａ，３０Ｂの内側には、接着層としてホットメルト材が塗布され、真空ラミネータ等で耐湿シート３０Ａ，３０Ｂの端部同士を接着させ、また、耐湿シート３０Ａ，３０Ｂを表示基板３１並びに透明基板３２に接着させることにより、基板端面並びに表裏面において、透明基板３２、電気泳動層３３、および表示基板３１等を密封している。
【００３０】
［３．セグメント電極］
第１の絶縁層３１１の表面に形成されるセグメント電極５０は、デザイン化された数字シンボルに対応する形状とされている。すなわち、図５に示すように、表示パネル３０の略全体に亘り、互いに重なり合うように配置された複数の数字シンボル１つ１つに対応して、数字がデザインされた形で形成されたセグメント電極５０がそれぞれ配置されている。セグメント電極５０の中には、表裏反転した数字シンボルをデザインしたものも含まれているとともに、セグメント電極５０の向きは様々にレイアウトされている。本実施形態における特徴の一つは、このようなセグメント電極５０のそれぞれの領域において「時」が表示されることにあり、表示パネル３０は、重なり合った数字シンボルにより躍動的で斬新なデザインとなっている。
【００３１】
ここで、セグメント電極５０は、本実施形態では「時」を示す「１」〜「１２」の１２種類の数字シンボルがデザインされた形に形成されたもので、シンボル１種類につき、少なくとも３つ以上ずつ、設けられている。例えば、「９」のシンボルにそれぞれ対応して３つのセグメント電極５９１〜５９３が設けられている。このように少なくとも３つずつ設けられる同種のシンボルに対応する各セグメント電極５０は、表示パネル３０が湾曲した状態の周方向において、互いに離れた位置に配置されている。
【００３２】
なお、セグメント電極５０の種類は複数あるが、区別が必要ない場合、これらをセグメント電極５０と総称する。これらのセグメント電極５０のうち計時情報に応じて選択された１つ以上の領域に「時」が表示される。
【００３３】
ここで、時刻の「分」については、表示パネル３０の一端部に、分表示部３０Ｍが配置されている。この分表示部３０Ｍは、十の位の数字を示す十位表示部３０Ｍ１と、一の位の数字を示す一位表示部３０Ｍ２とを有する。十位表示部３０Ｍ１は、コロン表示部３０ＭＣを有する。これらの十位表示部３０Ｍ１および一位表示部３０Ｍ２においても、数字がデザインされた形状のセグメント電極がそれぞれ配置されているが、これらについては「時」を示すセグメント電極５０について説明することによってその構成および作用効果を理解できるため、その説明を省略する。
また、表示パネル３０は、表示パネル３０全体の矩形領域からすべてのセグメント電極５０および分表示部３０Ｍを除いた領域である背景表示部の表示を行うため、図示しない２つの駆動電極を有する。
【００３４】
［４．駆動回路部の構成］
図３に示す回路基板４２は、基板３１，３２と同様に、ポリイミドやポリエステルなどの可撓性を有する樹脂から形成されたフレキシブル基板である。回路基板４２上には、時計１全体を制御する制御用コントローラ４２６と、ドライバＩＣから構成されて表示パネル３０の表示制御を実行する表示駆動回路素子４２５と、タッチセンサ４２７とがそれぞれ互いに重なることなく実装されている。なお、各タッチセンサ４２７用の操作ボタン（図示略）がそれぞれケース２に設けられている。
また、駆動回路素子４２５と配線部材４１２とは、回路基板４２に形成された配線（図示略）によって互いに接続されている。
なお、駆動回路部４０は、電池ホルダ２９に装着されるボタン型電池（電源）に電気的に接続され、この電源から供給される電力で駆動される。
【００３５】
図８は、駆動回路部４０の電気的構成を示す。駆動回路部４０は、制御用コントローラ４２６に実装される駆動制御部６１と、表示駆動回路素子４２５に実装された表示駆動部６２とを有する。
駆動制御部６１は、表示駆動部６２に対する入出力を行う入出力部６１１と、計時情報を取得する計時部６１２と、電源（電池）４２９から各回路素子４２５〜４２７に電力を供給する電圧制御部６１３と、操作ボタン４３の操作検出を行う操作検出部６１４と、これらの各部６１１〜６１４の動作を制御する制御部６１５とを有する。
【００３６】
計時部６１２は、図示しない発振回路の発振パルスをカウントすることにより時刻を計時するものであり、この計時部６１２は、入出力部６１１を介して表示駆動部６２と接続されている。
また、表示駆動部６２は、表示パネル３０の表示基板３１および透明基板３２間に電圧を印加する駆動信号を表示パネル３０に供給する。ここで、表示駆動部６２は、計時部６１２により取得された計時情報に基づいて、各セグメント電極５０のうち、所定電位の駆動信号を供給するものを選択する。そして、選択されたセグメント電極５０に接続される配線３１５に所定電圧の電流が流され、セグメント電極５０および透明電極間の電位差によってセグメント電極５０に平面的に重なる電気泳動層３３のマイクロカプセル３３０の表示が制御され、所定の時刻を示す数字が表示される。
【００３７】
なお、本実施形態の表示駆動部６２は、昇圧回路を内蔵し、電源４２９から供給される電圧（例えば３Ｖ）を昇圧して例えば＋１５Ｖとすることが可能となっている。すなわち、電源４２９のプラス電位の出力電圧ＶＤＤは例えば３Ｖであるが、表示パネル３０の駆動ドライバである表示駆動部６２の出力電圧Ｖoutは例えば１５Ｖと昇圧されている。
表示駆動部６２は、各電極５０，３２１，３２２に、各配線３１５を介して電圧Ｖout、電圧ＶＳＳ（Ｖout＞ＶＳＳ）を選択して印加できるように構成されている。また、本実施形態では、電圧ＶＳＳは接地された電圧ＧＮＤ（グラウンド）と同じ電圧とされている（ＶＳＳ＝ＧＮＤ）。具体的には、電圧ＶＳＳの電源端子はケース本体２１に接地され、このケース本体２１の電圧を基準電圧０Ｖとした場合、電圧Ｖout＝１５Ｖ、電圧ＶＳＳ＝０Ｖである。
【００３８】
また、前記シールド層（ベタ電極）３１３も表示駆動部６２において電圧ＶＳＳを供給する端子に接続されている。すなわち、本実施形態では、シールド層３１３は、常時、電圧ＶＳＳ＝ＧＮＤ（０Ｖ）に維持されている。
【００３９】
このような本実施形態によれば、次のような効果が得られる。
（１）セグメント電極５０が形成された表示基板３１において、配線３１５と各電極５０との間にベタ電極からなるシールド層３１３を介在させたので、配線３１５を通る駆動電圧は表示基板３１に設けたシールド層３１３で妨げられ、前記電圧がセグメント電極５０に影響することを確実に防止できる。
このため、表示基板３１を薄く形成した場合でも、配線３１５を通る駆動電圧の影響で電気泳動層３３つまりＥＰＤ（Electrophoretic Display）表示部が誤動作したり、表示品質が低下するといった問題が発生することを確実に防止できる。このため、表示パネル３０における表示動作を正確に制御でき、その表示品質も向上できる。
【００４０】
（２）シールド層３１３を電圧ＶＳＳの電源端子に接続し、電圧ＶＳＳに維持するようにしたので、シールド層３１３が電源に接続されておらず、オープン状態とされている場合に比べて、配線３１５に加わる電圧の影響をカットする性能を向上できる。
さらに、電圧ＶＳＳはＧＮＤであるため、例えば、シールド層３１３をケース本体２１に接地することなどでシールド層３１３を容易に電圧ＶＳＳに維持することができる。このため、電圧Ｖoutの電源端子にシールド層３１３を接続する場合に比べて、シールド層３１３の配線も簡単に行うことができる。
その上、シールド層３１３は、接地された電圧ＶＳＳの電源端子に接続され、このケース本体２１は利用者の腕に装着されて人体に接触するので、容量を大きくできてシールド効果を向上することができる。
【００４１】
（３）シールド層３１３はベタ電極で構成されているので、複数の電極でシールド層を形成する場合に比べて簡単に形成でき、製造コストも低減できる。
【００４２】
［第２実施形態］
次に、本発明の第２実施形態について説明する。なお、以下に説明する各実施形態において、前述する各実施形態と同一または同様の構成には同一符号を付し、説明を省略または簡略する。
第２実施形態では、図９に示すように、表示基板３１にシールド層を複数形成し、全体を５層構造にしたものである。
すなわち、本実施形態の表示基板３１は、表面電極配線層、第１の絶縁層３１１、第１シールド層３１３１、第３の絶縁層３１６、第２シールド層３１３２、第２の絶縁層３１２、裏面電極配線層を備えている。
各絶縁層３１１，３１２は、前記第１実施形態のものと同様であり、第１の絶縁層３１１の表面の表面電極配線層にはセグメント電極５０等が形成され、第２の絶縁層３１２の裏面の裏面電極配線層には配線３１５が形成されている。
【００４３】
第３の絶縁層３１６は、各絶縁層３１１，３１２間に配置され、各絶縁層３１１，３１２と同様に、ポリイミドなどのフレキシブル基板で構成されている。
各シールド層３１３１，３１３２は、各絶縁層３１１，３１２，３１６間にそれぞれ配置されている。
【００４４】
貫通電極３１４は、各絶縁層３１１，３１２，３１６およびシールド層３１３１，３１３２の開口３１３Ａを貫通して配置されている。このため、シールド層３１３１，３１３２と貫通電極３１４とは非接触状態とされている。また、各シールド層３１３１，３１３２は、第３の絶縁層３１６によって絶縁されている。すなわち、本実施形態では、各シールド層３１３１，３１３２は、第３の絶縁層３１６が間に介在されていることで互いに絶縁されている。
第１シールド層３１３１は電圧ＶＤＤの電源端子に接続され、第２シールド層３１３２は電圧ＶＳＳの電源端子に接続されている。なお、逆に、第１シールド層３１３１を電圧ＶＳＳの電源端子に接続し、第２シールド層３１３２を電圧ＶＤＤの電源端子に接続してもよい。
【００４５】
このような本実施形態においても前記第１実施形態と同様の作用効果を奏することができる。
（４）さらに、複数のシールド層３１３１，３１３２を備えているので、シールド層が１層のみの場合に比べて電圧シールド効果を向上することができる。
また、各シールド層３１３１，３１３２の電位をＶＤＤ，ＶＳＳと互いに異ならせているので、前記電圧シールド効果をより一層向上することができる。
さらに、第２シールド層３１３２は、接地された電位ＶＳＳの電源端子に接続され、このケース本体２１は利用者の腕に装着されて人体に接触するので、容量を大きくできてシールド効果を向上することができる。
【００４６】
〔実施形態の変形〕
なお、本発明は前述の実施形態に限定されるものではなく、本発明の目的を達成できる範囲での変形、改良等は本発明に含まれるものである。
本発明は、表示基板３１をフレキシブル基板で構成していたが、ガラスエポキシ基板のようなリジッド基板で構成してもよい。例えば、２枚のガラスエポキシ基板間にシールド層を設けた表示基板を用いて電気泳動ディスプレイを構成してもよい。
【００４７】
前記各実施形態において、シールド層３１３，３１３１，３１３２は、一定の電位（電圧ＶＤＤまたは電圧ＶＳＳ）に維持されていたが、シールド層３１３，３１３１，３１３２を電源端子に接続せずにオープン状態としてもよい。
シールド層３１３，３１３１，３１３２がオープン状態とされて一定の電位に保持されていなくても、導電性のベタ電極が存在するだけで、配線３１５を通る駆動電圧の影響を軽減・カットすることができる。
【００４８】
前記各実施形態では、１つ又は２つのシールド層３１３，３１３１，３１３２を設けていたが、３つ以上のシールド層を設けてもよい。シールド層の数が多くなれば、その分、表示基板３１の厚さ寸法が大きくなるが、シールド効果をより高めることができる。
なお、複数のシールド層を設けた場合、各シールド層をすべてオープン状態にしてもよいし、一部のシールド層のみをオープン状態とし、他のシールド層を一定の電位に保持してもよい。また、複数のシールド層を一定の電位に保持する場合、すべてのシールド層を同じ電位、例えば、電圧ＶoutやＶＳＳに保持しても良いし、互いに異なる電位に保持してもよい。
【００４９】
さらに、前記第１実施形態では、電源４２９の電圧ＶＳＳを出力する電源端子にシールド層３１３を接続していたが、電源４２９の電圧ＶＤＤを出力する電源端子や、電圧ＶＤＤを昇圧した電圧Ｖoutを出力する出力端子にシールド層３１３を接続してもよい。
第２実施形態においても、電圧ＶＤＤ，ＶＳＳ，Ｖoutの各出力端子のうちのいずれか２つの出力端子を、各シールド層３１３１，３１３２にそれぞれ接続してもよい。
但し、シールド層３１３，３１３１，３１３２を昇圧した電圧Ｖoutの出力端子に接続した場合には、電源４２９の各電源端子に接続した場合に比べて容量の能力が低くなる。このため、シールド層３１３，３１３１，３１３２は電源４２９の各出力端子に接続したほうが好ましく、特に接地された電源端子に接続することが容量をより大きくできてシールド効果を向上できる点で好ましい。
【００５０】
また、前記実施形態では、電源４２９の電圧ＶＳＳを接地した場合について説明したが、電圧ＶＤＤをケース本体２１に接地し、この接地された電圧ＶＤＤの電源端子をシールド層に接続してもよい。特に、腕時計の場合、電源４２９のプラス電位ＶＤＤ（例えば＋３Ｖ）をケースに接地してＧＮＤ電位とすることが広く行われており、このような場合には、シールド層３１３も電圧ＶＤＤの電源端子に接続することが、容量を大きくできてシールド効果を向上できる点で好ましい。
【００５１】
さらに、電気泳動層３３としては、前記実施形態のように、白黒二粒子系の電気泳動表示デバイスに限らず、着色された液体中に他の色（黒や白など）の帯電粒子を混合させた一粒子系の電気泳動表示デバイスを利用してもよい。
【００５２】
シールド層としては、ベタ電極に限らず、メッシュ状に形成されたものなどでもよく、要するに配線３１５を通る駆動電圧の影響が表面のセグメント電極５０にまで達することを防止できるものであればよい。
【００５３】
さらに、本発明の電気泳動ディスプレイは、前記各実施形態のようなリング状の電子時計に限らず、湾曲しない平面状の表示部を有する時計のディスプレイとして利用してもよい。
また、本発明の電気泳動ディスプレイは、腕時計に限らず、懐中時計、置時計、掛時計などにも適用可能である。また、時計以外の各種電子機器にも広く適用でき、例えば、ＰＤＡ（Personal Digital Assistants）や、携帯電話、メモリカード、ディジタルカメラ、ビデオカメラ、プリンタ、パーソナルコンピュータなどにおいて各種情報を表示するディスプレイ部に利用できる。
【図面の簡単な説明】
【００５４】
【図１】本発明の第１実施形態における電子時計の外観斜視図。
【図２】前記実施形態における電子時計の分解斜視図。
【図３】前記実施形態における電気泳動表示パネルおよび回路基板の平面図。
【図４】前記実施形態における電気泳動表示パネルの断面図。
【図５】前記実施形態における電気泳動表示パネルの平面図。
【図６】前記実施形態における電気泳動表示パネルの表示基板の分解斜視図。
【図７】前記実施形態における電気泳動表示パネルの表示基板の断面図。
【図８】前記実施形態における表示モジュールの電気的構成を示すブロック図。
【図９】本発明の第２実施形態に係る電気泳動表示パネルの表示基板の断面図。
【符号の説明】
【００５５】
１…電子時計、２…ケース、３…表示モジュール、３０…電気泳動表示パネル（電気泳動ディスプレイ）、３１…表示基板、３２…透明基板、３３…電気泳動層、４０…駆動回路部、４２…回路基板、５０…セグメント電極、３１１…第１の絶縁層、３１２…第２の絶縁層、３１３，３１３１，３１３２…シールド層、３１４…貫通電極、３１５…配線、３１６…第３の絶縁層、３２０…共通電極、３２１，３２２…共通電極駆動用電極、３３０…マイクロカプセル。
【図２】
2008170647.tif 000003
【図３】
2008170647.tif 000004
【図４】
2008170647.tif 000005
【図５】
2008170647.tif 000006
【図６】
2008170647.tif 000007
【図７】
2008170647.tif 000008
【図８】
2008170647.tif 000009
【図９】
2008170647.tif 000010
【図１】
2008170647.tif 000011